(57)【要約】【課題】主に観賞用の画像を表示し、入力機能を備える表示装置において、入力動作が容易で、表示された画像が見やすく、美観に優れた表示装置を提供する。【解決手段】フレーム本体２の一つの側面に操作部４を設け、操作部４と連続する他の側面に操作部５を設ける。操作部４は複数の入力部１０を有し、操作部５は複数の入力部１１を有する。複数の入力部１０、１１のうち、少なくとも２つの入力部から所定の時間内に入力があったとき、所定の動作を行う。【選択図】図２
2010237753.tif 000002
【特許請求の範囲】
【請求項１】
フレーム本体と、フレーム本体の前面に配置された表示部と、フレーム本体の側面のうち、連続する２側面に配置された操作部と、を有する表示装置であって、
前記操作部は、前記２側面の各々に複数の入力部を有し、
前記複数の入力部のうち少なくとも２つの入力部から所定の時間内に入力があったとき、所定の動作を行うことを特徴とする表示装置。
【請求項２】
請求項１に記載された表示装置において、
前記表示部には複数の画像が表示されており、
前記２側面のうち１の側面の入力部からの入力と、前記２側面のうち他の側面の入力部からの入力があったとき、
前記１の側面の入力部の法線、及び前記他の側面の入力部の法線の交点に存在する画像が指定されることを特徴とする表示装置。
【請求項３】
請求項１に記載された表示装置において、
前記表示部にはカーソルが表示されており、前記入力部への入力によって前記カーソルの動作を操作することを特徴とする表示装置。
【請求項４】
請求項１乃至請求項３に記載された表示装置において、
前記所定の動作は、前記表示部に表示された画像を拡大、縮小、又は回転させる動作を含むことを特徴とする表示装置。
【請求項５】
請求項４に記載された表示装置において、
前記画像を拡大又は縮小させる動作は、一の前記入力部への入力と、他の前記入力部への入力とのタイミングの差によって、拡大又は縮小率が変化することを特徴とする表示装置。
【請求項６】
請求項４に記載された表示装置において、
前記画像を回転させる動作は、一の前記入力部への入力と、他の前記入力部への入力との距離の差によって、回転角度が変化することを特徴とする表示装置。
【発明の詳細な説明】
【技術分野】
【０００１】
本発明は、主に観賞用の画像を表示する表示装置において、入力機能を有する表示装置に関する。
【背景技術】
【０００２】
デジタルカメラで撮影した静止画等、デジタルデータを鑑賞するための表示装置として、デジタルフォトフレームがあった。特許文献１に記載されるように、フォトフレームのメニュー選択や画像選択を行うために、フレームにおける表示部と同じ側に、十字型の操作キーを配置したデジタルフォトフレームがあった。また、特許文献２に記載されるように、表示部の表面に透明なタッチパネルを積層し、複数のサムネイルの中から一つのサムネイルをタッチして画像の選択を行うフォトフレームがあった。
【先行技術文献】
【特許文献】
【０００３】
【特許文献１】特開２００６−０６５０３１号公報
【特許文献２】特開２００８−２３６３９５号公報
【発明の概要】
【発明が解決しようとする課題】
【０００４】
表示部と同じ側に十字型の操作キーを配置した場合、直感的な入力ができないために操作性が悪く、使いづらいという問題があった。また、キーを配置するためのスペースが必要となるので、フレームに対して相対的に表示部が小さくなった。したがって、画像が見づらくなり、画像の鑑賞を主目的とするデジタルフォトフレームには適さないという問題があった。さらに、表示部と同じ側に操作キーが配置されているため、画像を鑑賞すると同時に操作キーも視界に入った。したがって、インテリア性も要求されるデジタルフォトフレームにおいて、美観を損ねるという問題があった。
【０００５】
また、タッチパネルを採用した場合、表示部の表示性能が低いという問題があった。例えば、表示部の表面にタッチパネルを積層した場合には、輝度が低下する。さらに、指で操作するタッチパネルの場合には、表示部の表面が汚れてしまい、画像がきれいに表示できないという問題があった。
【課題を解決するための手段】
【０００６】
本発明の第１の情報処理装置は、フレーム本体と、フレーム本体の前面に配置された表示部と、フレーム本体の側面のうち、連続する２側面に配置された操作部と、を有する表示装置であって、前記操作部は、前記２側面の各々に複数の入力部を有し、前記複数の入力部のうち少なくとも２つの入力部から所定の時間内に入力があったとき、所定の動作を行うことを特徴とする。
【０００７】
本発明の第２の情報処理装置は、前記表示部には複数の画像が表示されており、前記２側面のうち１の側面の入力部からの入力と、前記２側面のうち他の側面の入力部からの入力があったとき、  前記１の側面の入力部の法線、及び前記他の側面の入力部の法線の交点に存在する画像が指定されることを特徴とする。
【０００８】
本発明の第３の情報処理装置は、前記表示部にはカーソルが表示されており、前記入力部への入力によって前記カーソルの位置を操作することを特徴とする。
【０００９】
本発明の第４の情報処理装置は、前記所定の動作が、前記表示部に表示された画像を拡大、縮小、又は回転させる動作を含むことを特徴とする表示装置。
【００１０】
本発明の第１の情報処理装置は、前記画像を拡大又は縮小させる動作が、一の前記入力部への入力と、他の前記入力部への入力とのタイミングの差によって、拡大又は縮小率が変化することを特徴とする表示装置。
【００１１】
本発明の第１の情報処理装置は、前記画像を回転させる動作が、一の前記入力部への入力と、他の前記入力部への入力との距離の差によって、回転角度が変化することを特徴とする。
【発明の効果】
【００１２】
本発明によれば、直感的な操作が可能となり、スムーズに入力動作を行うことができる。また、表示部を大きく取ることができるので、表示された画像が見やすい。また、表示部に触れる必要がないため、表示部の表面が汚れることを防止できる。
【図面の簡単な説明】
【００１３】
【図１】本実施形態を構成するデジタルフォトフレームを示す図である。
【図２】本発明の第１の実施例を示す図である。
【図３】本発明の第２の実施例を示す図である。
【図４】本発明の第２の実施例を示す図である。
【図５】本発明の第３の実施例を示す図である。
【図６】本発明の第４の実施例を示す図である。
【発明を実施するための形態】
【００１４】
以下、図面を参照して本発明を実施するための形態について詳細に説明する。図１は、本実施形態を構成するデジタルフォトフレームを示す図である。図１（ａ）は、デジタルフォトフレームを正面から見た投影図、（ｂ）はデジタルフォトフレームの平面図、（ｃ）はデジタルフォトフレームの側面図である。デジタルフォトフレーム１は、フレーム本体２、表示部３、縦操作部４、横操作部５、支持部６を有する。
【００１５】
表示部３は、デジタルフォトフレームに記憶された画像を表示する。表示される画像は、デジタルスチールカメラで撮影された静止画、デジタルビデオカメラで撮影された動画などである。表示部として用いられるのは、液晶パネル、有機ＥＬパネルなどである。支持部６は、フレーム本体２を支持する。フレーム本体２を支持する角度は、ユーザーが任意に変更できるように可変であってもよい。
【００１６】
縦操作部４及び横操作部５は、フレーム本体２の側面のうち、連続する２つの側面に配置される。縦操作部４は、複数の入力部１０を有する。同様に横操作部５は、複数の入力部１１を有する。ユーザーが入力部１０、１１より入力を行うと、表示部３の表示は後に詳述するような所定の動作を行う。
【００１７】
入力部１０、１１から入力動作を行うと、入力位置、及び入力したタイミングが、フレーム本体に内蔵された図示しない記憶装置に記憶される。入力位置及び入力タイミングに基づき、表示部３の表示は所定の動作を行う。
【００１８】
入力部１０、１１はユーザーが触れる、又は手などをかざすことによって入力可能な装置が好ましい。例えば、タッチセンサー、感圧センサー、押しボタンなどが考えられる。
【００１９】
（第１の実施例）
図２は、本発明の第１の実施例を示す図である。フォトフレーム１の表示部３には、複数の画像サムネイル２０がマトリクス状に表示されている。一つの画像サムネイルを指定すると、その画像が表示部３に表示される。
【００２０】
サムネイルの指定方法としては、まず縦操作部４の入力部１０のうち一つの入力部１０ａを選択して、入力の動作を行う。次に、横操作部５の入力部１１のうち一つの入力部１０ａを選択して、入力の動作を行う。すると、入力部１０ａの法線１０１、及び入力部１１ａの法線１１１の交点に存在するサムネイルが指定される。
【００２１】
誤操作防止のため、入力部１１ａの入力は、入力部１０ａの入力から所定の時間内に行われなければならない。所定の時間とは、例えば３０秒以内である。
【００２２】
なお、入力方法は上記に限定されない。例えば、入力部１１ａを先に入力し、その後に入力部１０ａを入力してもよい。また、入力部１０ａと入力部１１ａの入力を同時に行ってもよい。
【００２３】
（第２の実施例）
図３及び図４は、本発明の第２の実施例を示す図である。図３（ａ）は、表示部に表示した画像を拡大・縮小表示するための動作を示している。本実施例では表示部３に表示された画像３０を縮小するために、以下の動作を行う。まず、縦操作部４の入力部１０ｂの入力を行う。その直後に入力部１０ｃの入力を行う。縦操作部４の操作と平行して横操作部５でも同様の操作を行う。つまり、横操作部５の入力部１１ｂの入力を行った直後に、入力部１１ｃの入力を行う。すると、画像３０は縮小表示される。
【００２４】
上記と反対方向の入力を行うと、画像３０は拡大表示される。すなわち、入力部１０ｃの入力直後に１０ｂの入力を行う。それと平行して、入力部１１ｃの入力直後に１１ｂの入力を行う。すると画像３０は拡大表示される。
【００２５】
なお、画像の拡大及び縮小率について、入力のタイミングに応じて変化させてもよい。例えば、入力部１０ｂの入力後、すぐに入力部１０ｃを入力した場合、縮小率を大きくする。逆に入力部１０ｂを入力してしばらく時間が経過した後に入力部１０ｃを入力した場合、縮小率を小さくする。
【００２６】
また、入力部１０、１１の各々の数が３以上の場合、拡大及び縮小率について、入力の距離に応じて変化させてもよい。例えば、入力部１０ｂと入力部１０ｃの距離が大きい場合には、縮小率を大きくする。逆に入力部１０ｂと入力部１０ｃの距離が小さい場合には、縮小率を小さくする。
【００２７】
図３（ｂ）は、表示部に表示した画像を拡大・縮小表示するための変形例を示している。本変形例では、表示部３に表示された画像３０を拡大するために、以下の動作を行う。まず、横操作部５の入力部１１ｅの入力を行う。その直後に入力部１１ｄ及び入力部１１ｆの入力をほぼ同時に行う。すると、画像３０は拡大表示される。
【００２８】
上記と反対方向の入力を行うと、画像３０は縮小表示される。すなわち、入力部１１ｄと入力部１１ｆの入力をほぼ同時に行う。その直後に１１ｅの入力を行う。すると画像３０は縮小表示される。
【００２９】
なお、画像の拡大及び縮小率について、入力のタイミングに応じて変化させてもよい。例えば、入力部１１ｅの入力後、すぐに入力部１１ｄ及び１１ｆを入力した場合、拡大率を大きくする。逆に入力部１１ｅを入力してしばらく時間が経過した後に入力部１１ｄ及び１１ｆを入力した場合、拡大率を小さくする。
【００３０】
また、入力部１０、１１の各々の数が３以上の場合、拡大及び縮小率について、入力の距離に応じて変化させてもよい。例えば、入力部１１ｅと入力部１１ｄ及び１１ｆとの距離が大きい場合には、拡大率を大きくする。逆に入力部１１eと入力部１１ｄ及び１１ｆの距離が小さい場合には、拡大率を小さくする。
【００３１】
なお、本変形例では横操作部５を例に説明したが、同じ動作を縦操作部４で行った場合にも、同様に拡大及び縮小表示を行うことができる。
【００３２】
図４（ａ）は、表示部の表示をスクロールするための動作を示している。本実施例では、表示部３の表示をスクロールするために以下の動作を行う。まず、縦操作部４の入力部１０ｆの入力を行う。その直後に入力部１０ｅの入力を行う。これによって、表示部３０の表示が縦スクロールされ、画像３０の下方に配置された画像３１の一部が表示部３に現れる。同様に、横操作部５の操作を行うと、横スクロールができる。
【００３３】
なお、入力のタイミングに応じてスクロールの速度を変化させてもよい。例えば、入力部１０ｆの入力後、すぐに入力部１０ｅを入力した場合、スクロールを高速にする。逆に入力部１０ｆを入力してしばらく時間が経過した後に入力部１０ｅを入力した場合、スクロールを低速にする。
【００３４】
また、入力部１０、１１の各々の数が３以上の場合、入力の距離に応じてスクロールの範囲を変化させてもよい。例えば、入力部１０ｆと入力部１０ｅの距離が大きい場合には、スクロールの範囲を大きくする。逆に入力部１０ｆと入力部１０ｅの距離が小さい場合には、スクロールの範囲を小さくする。
図４（ｂ）は、表示部に表示された画像を回転させるための動作を示している。本実施例では、表示部３に表示された画像３０を回転させるために、以下の動作を行う。まず、横操作部５の入力部１１ｇの入力を行う。その直後に縦操作部４の入力部１０ｇの入力を行う。すると、画像３０は時計周りに９０度回転して表示される。
【００３５】
上記と入力の順番を逆にしたときには、画像は逆方向に回転する。すなわち、まず入力部１０ｇの入力を行う。その直後に入力部１１ｇの入力を行う。すると、画像３０は反時計周りに９０度回転して表示される。
【００３６】
なお、入力部１０、１１の各々の数が３以上の場合、入力の距離に応じて画像の回転角度を変化させてもよい。例えば、入力部１１ｇと入力部１０ｇの距離が小さい場合には、画像の回転角度を小さくする。逆に入力部１１ｇと入力部１０ｇの距離が大きい場合には、画像の回転角度を大きくする。入力部１１ｇと入力部１０ｇの距離が最大の場合には、画像を９０度回転させる。
【００３７】
（第３の実施例）
図５は、本発明の第３の実施例を示す図である。本実施例は、文字入力を行ものである。表示部３には、カーソル４０、ソフトウェアキーボード４１が表示されている。ソフトウェアキーボード４１は、文字キー４２、変換キー４３、入力領域４４を有する。カーソル４０で文字キー４２を指定すると、指定した文字が入力領域４４に表示される。かな文字を入力後、変換キーを指定するとかな漢字変換を行うことができる。
【００３８】
本実施例では、文字キー４２及び変換キー４３を指定するために、以下の動作を行う。まず縦操作部４の入力部１０ｈを入力する。その直後に入力部１０ｉを入力する。すると、カーソルは上方に動く。カーソルを下方に動かす場合には、入力部１０ｉの入力後に入力部１０ｈの入力を行う。カーソルを左右に動かす場合には、同様に横操作部５を操作する。指定したい文字キーの上にカーソルが到達したら、例えば入力部１０ｈの入力を連続して２回行う。これによって、文字キーの指定が完了し、指定した文字が入力領域４４に表示される。
【００３９】
上記のとおり、キーボードを有していないデジタルフォトフレームであっても、文字を入力することが可能である。したがって、デジタルフォトフレーム上で、画像ファイルのファイル名を変更したり、タグを付与することができる。また、画像や表示部に文字を入力し、画像と同時にそれらを表示することもできる。
【００４０】
なお、本実施例ではカーソルを使って文字キーを指定した。しかし、第１の実施例と同様に、入力部１０、１１の交点によって文字キーを指定することも可能である。つまり、縦操作部４は少なくとも文字キー４２の行数と同じ数の入力部１０を有し、横操作部５は少なくとも文字キー４２の列数と同じ数の入力部１１を有している。選択した入力部１０の法線、及び選択した入力部１１の法線とが交差する点に配置された文字キーが指定される。
【００４１】
また、本実施例のように縦操作部４及び横操作部５を用いてカーソルを操作する方法を、本発明の他の実施例に適用することも可能である。
【００４２】
（第４の実施例）
図６は、本発明の第４の実施例を示す図である。本実施例では、動画などを再生する場合において、再生位置や音量を操作するものである。表示部３には、動画３２が再生されている。また、表示部３には、基本操作５０が表示されている。基本操作５０は、再生５１、巻き戻し５２、早送り５３を有する。また、表示部３には、再生位置５４が表示されており、動画ファイルにおける現在の再生位置を示している。同様に、音量５５が表示されており、現在の再生音量を示している。
【００４３】
なお、動作再生中に、基本操作５０、再生位置５４、音量５５を常に表示する必要はない。例えば入力部１０又は１１の入力を検知した後にこれらを表示したり、所定の時間入力がない場合には非表示にすることもできる。
【００４４】
本実施例では、動画の再生位置や音量を操作するために以下の動作を行う。横操作部５の入力部１１ｉを入力すると、動画再生を開始する。入力部１１ｈを入力すると動画の巻き戻し、入力部１１ｊを入力すると動画の早送りができる。また、縦操作部４を操作することによって、再生音量を変更することができる。
【００４５】
なお、本実施例では動画を再生する場合について説明したが、音楽を再生する場合、またはスライドショーによって複数の静止画を順に表示する場合にも適用可能である。
【００４６】
本実施形態では、デジタルフォトフレームを例に説明した。しかし、本発明はこれに限定されるものではなく、他の表示装置にも適用することができる。例えば、パソコン、携帯電話、カーナビなどに適用可能である。
【００４７】
上記したように、フレーム本体の側面に操作部を配置することにより、直感的な操作が可能となり、スムーズに入力動作を行うことができる。また、表示部を大きく取ることができるので、表示された画像が見やすい。さらに、画像鑑賞中は操作部が目につかないので、美観を損ねることがない。また、表示部に触れる必要がないため、表示部の表面が汚れることを防止できる。
【符号の説明】
【００４８】
１    デジタルフォトフレーム
２    フレーム本体
３    表示部
４    縦操作部
５    横操作部
６    支持部
１０、１１  入力部
【図１】
2010237753.tif 000003
【図２】
2010237753.tif 000004
【図３】
2010237753.tif 000005
【図４】
2010237753.tif 000006
【図５】
2010237753.tif 000007
【図６】
2010237753.tif 000008